(57)【特許請求の範囲】
【請求項１】
クイックリリース式自転車のフレームの一部である左右のチェーンステーにそれぞれ固定されるべき固定体と、
それぞれの前記固定体に対して固定されて前記チェーンステーに沿って延びている固定具と、
前記フレームの後端に位置する左右のリアエンドとこれに対応する前記固定具との間にそれぞれ介装されるべきスペーサとを備え、
前記固定具は、前記リアエンドに取り付けられる略Ｃ字形状の両足スタンドの両端部と固定され、
前記固定体は前記チェーンステーを左右から挟み込む内ブロック及び外ブロックを有し、
前記固定体はさらに前記内ブロック及び外ブロックと前記固定具とを互いに固定する結束具を有し、
前記外ブロックは前記チェーンステーに取り付けられた状態で前記チェーンステーに沿って貫通している貫通孔を有していることを特徴とする自転車スタンド取り付け用アダプタ。
【請求項２】
前記固定具は上下方向に基準厚みを有し、
前記両足スタンドの前記両端部は、その上下端から前記フレーム側に向けて延びる係止爪を有し、
前記基準厚みは上下の前記係止爪間の距離と一致していることを特徴とする請求項１に記載の自転車スタンド取り付け用アダプタ。
【請求項３】
前記結束具は前記固定体から前記固定具に向けて延びるボルト及び該ボルトに螺合するナットであり、
前記固定具には前記ボルトが挿通されるボルト孔が形成され、
前記ボルト孔は下側に膨らむ円弧形状の長孔で形成されていることを特徴とする請求項１に記載の自転車スタンド取り付け用アダプタ。
【請求項４】
前記両足スタンドは左右の縦棒及び該縦棒の一方の端部と連続している横棒で形成されていて、
前記固定具は、前記左右の縦棒の他方の端部にそれぞれ位置する前記両端部と一体に形成されていて、
前記横棒は、全長を左右方向に伸縮させるための伸縮器を有していることを特徴とする請求項１に記載の自転車スタンド取り付け用アダプタを備えた両足スタンド。
【発明の詳細な説明】
【技術分野】
【０００１】  本発明は、クイックリリース式自転車に採用される自転車スタンド取り付け用アダプタ及びこれを備えた両足スタンドに関する。
【背景技術】
【０００２】  現在スポーツバイクの部類に属するロードバイクやマウンテンバイクでは、手動にて簡単に車輪を外すことができるクイックリリースが用いられている。このクイックリリースは、ホイール中心にある筒状のハブと、自転車のフレームの後端に位置するリアエンドとに挿通されて互いを接続するものである。クイックリリースはシャフトを介して両端にレバーとナットを有して構成され、シャフトをリアエンド及びハブに通してナット締めし、レバーを倒すことで固定される。このようなクイックリリースは小径車にも近年使用され、その使用率は高まってきている。【０００３】  このようなクイックリリースにて後輪を支持しているクイックリリース式自転車には、自転車を自立させるためのスタンドをリアエンド部分に取り付けることができないため、自転車のフレームに直接取り付けたりして対応している。フレームに取り付けるため、いわゆる片足スタンドが主流となっている。【０００４】  しかしクイックリリース式自転車であっても、後輪軸を挟み込んで車体後方から下側方向へ回動可能な両足スタンドを取り付けたいという要望がある。リアエンドを利用してこのような構造物を取り付けることは、スタンドだけでなくチャイルドシートをしっかりと支持するための機構としても利用できる。【０００５】  後輪軸を挟み込むタイプのスタンドとして、車体と別体のものは現在でも知られている（例えば特許文献１参照）。しかしながら、スタンドは自転車の走行中は車体と一体となっていた方が使い勝手がいいし、このような両足スタンドであれば足による操作で容易に自立とその解除の操作をすることができる。特許文献１のスタンドは、走行中に携行することは困難であるし、自立やその解除のための操作も両手を使わなければならず、手間がかかり面倒である。
【先行技術文献】
【特許文献】
【０００６】
【特許文献１】特開２０１０−８９６７８号公報
【発明の概要】
【発明が解決しようとする課題】
【０００７】  本発明は、上記従来技術を考慮したものであって、簡単な操作で自立とその解除操作を行うことができ、さらにクイックリリース式の自転車であっても後輪軸を支点として回動することができる両足スタンドを取り付けることを可能とする自転車スタンド取り付け用アダプタ及びこれを備えた両足スタンドを提供することを目的とする。
【課題を解決するための手段】
【０００８】  前記目的を達成するため、本発明では、クイックリリース式自転車のフレームの一部である左右のチェーンステーにそれぞれ固定されるべき固定体と、それぞれの前記固定体に対して固定されて前記チェーンステーに沿って延びている固定具と、前記フレームの後端に位置する左右のリアエンドとこれに対応する前記固定具との間にそれぞれ介装されるべきスペーサとを備え、前記固定具は、前記リアエンドに取り付けられる略Ｃ字形状の両足スタンドの両端部と固定されていることを特徴とする自転車スタンド取り付け用アダプタを提供する。【０００９】  好ましくは、前記固定具は上下方向に基準厚みを有し、前記両足スタンドの前記両端部は、その上下端から前記フレーム側に向けて延びる係止爪を有し、前記基準厚みは上下の前記係止爪間の距離と一致している。【００１０】  好ましくは、前記固定体は前記チェーンステーを左右から挟み込む内ブロック及び外ブロックを有し、前記固定体はさらに前記内ブロック及び外ブロックと前記固定具とを互いに固定する結束具を有し、前記外ブロックは前記チェーンステーに取り付けられた状態で前記チェーンステーに沿って貫通している貫通孔を有している。【００１１】  好ましくは、前記結束具は前記固定体から前記固定具に向けて延びるボルト及び該ボルトに螺合するナットであり、前記固定具には前記ボルトが挿通されるボルト孔が形成され、前記ボルト孔は下側に膨らむ円弧形状の長孔で形成されている。【００１２】  さらに、本発明では、前記両足スタンドは左右の縦棒及び該縦棒の一方の端部と連続している横棒で形成されていて、前記固定具は、前記左右の縦棒の他方の端部にそれぞれ位置する前記両端部と一体に形成されていて、前記横棒は、全長を左右方向に伸縮させるための伸縮器を有している自転車スタンド取り付け用アダプタを備えた両足スタンドを提供する。
【発明の効果】
【００１３】  本発明によれば、両足スタンドの両端部が固定体を介してチェーンステーに取り付けられるため、両足スタンドをクイックリリース式自転車の後輪軸に取り付けることで、安定して両足スタンドを車体に保持することができる。固定具はチェーンステーに沿って延びているため、安定感は増大される。これにより、単に後輪軸のみで両足スタンドを支持するよりも、両足スタンドが誤って後輪軸を支点に回転してしまうことを抑制できる。したがって、両足スタンドをクイックリリース式自転車に好適に適合でき、両足スタンドの利点である簡単な操作で自立とその解除操作を行うこともクイックリリース式自転車にて実現できる。【００１４】  また、固定具は基準厚みにて両足スタンドの両端部に備わる係止爪に引っかけられるので、両足スタンドの両端部はしっかりと固定される。したがって両足スタンドの両端部が誤って回転してしまうことを防止できる。【００１５】  また、固定体を内ブロック及び外ブロックで形成することで、チェーンステーを左右側から挟み込んで固定することができ、確実な固定を実現できる。さらに、貫通孔により、シフトワイヤーをここに通すことができるので、リアディレーラー２９を有するクイックリリース式自転車に対して好適に適用できる。【００１６】  また、固定具に備わるボルト孔を円弧形状の長孔とすることで、固定具のチェーンステーに対する角度を調整できる。このため、この固定具に対して係止爪を介して固定される両足スタンドの取り付け角度も調整でき、適正角度にて両足スタンドをクイックリリース式自転車に取り付けることができる。【００１７】  さらに本発明では、固定具と両足スタンドの両端部を一体化することで、部品点数を減少させてクイックリリース式自転車に好適に適用できる両足スタンドも提供できる。一体化することで取り付け作業も簡易且つ迅速になる。また両足スタンドの横棒を伸縮器により伸縮可能とすることで、種々の左右のリアエンド幅に対応できる両足スタンドを提供できる。
【図面の簡単な説明】
【００１８】
【図１】本発明に係る自転車スタンド取り付け用アダプタを用いて両足スタンドをクイックリリース式自転車に取り付けたときの概略図である。
【図２】本発明に係る自転車スタンド取り付け用アダプタの取り付け態様を示す分解図である。
【図３】固定具の概略図である。
【図４】固定体の概略図である。
【図５】本発明に係る自転車スタンド取り付け用アダプタを備えた両足スタンドの概略図である。
【発明を実施するための形態】
【００１９】  図１及び図２に示すように、本発明に係る自転車スタンド取り付け用アダプタ１は、クイックリリース式自転車１００に対して市販されている別体両足スタンド２を取り付けるためのものである。ここで、本発明が適用されるべき別体両足スタンド２は、左右の縦棒４及びこれらの縦棒４の一方の端部と連続している横棒３を有し、略Ｃ字形状が形成されている。左右の縦棒４の他方の端部は両端部５として形成されている。両端部５は略プレート状であり、その上下端から係止爪６が折れ曲がって突出して形成されている。この係止爪６は、自転車１００を構成するフレーム７の一部であるチェーンステー８やシートステー９、あるいはリアエンド１０に引っかけて固定される目的で形成されているものであるが、本発明に適用される別体両足スタンドとしては、この係止爪６が少なくともチェーンステー８に引っかける目的あるいは態様で形成されていることが必要である。すなわち、係止爪６は両端部５からチェーンステー８に向けて突出している。
【００２０】  ここでアダプタ１は、クイックリリース式自転車１００のフレーム７の一部である左右のチェーンステー８にそれぞれ固定されるべき固定体１１を有している。そして、この固定体１１には固定具１２が固定されている。固定具１２は略プレート状であり（図３参照）、一方の端部が固定体１１に固定されて、他方の端部に向けてチェーンステー８に沿って延びて配される。フレーム７の後端に位置する左右のリアエンド１０とこれに対応する固定具１２との間には、それぞれスペーサ２５が介装される。このスペーサ２５は、後述するシャフト（クイックシャフト）２３（図５参照）が挿通されるため、略円筒形状に形成されている。
【００２１】  スペーサ２３は、後述する外ブロック１５と固定具１２との密着面と同一平面上にスペーサ２３の外側面を有する。これにより固定具１２を車体に対して平行に固定でき、別体両足スタンド２の良好な取り付けを可能とする。さらにスペーサ２３によってこのように車体外側に固定具１２との取り付け面を形成できることで、リアエンド１０近傍がどのような形状のフレームであってもこれに影響を受けることなく確実に固定具１２を取り付けることができる。
【００２２】  リアエンド１０は開口端を有する略半円形状に形成され、ここに後輪１３の軸（不図示）が挿通されて保持する。すなわち後輪１３の軸受けとして機能する。固定具１２にもシャフト２３を挿通させるための孔２７が形成されている。クイックリリース機構を構成するシャフト２３はこの後輪１３の軸（ハブ）に挿通されて後輪１３の軸心周りの回転を実現させる。そして、両端部５もこのシャフトを介してリアエンド１０に固定される。すなわち、シャフト２３は車体外側から両端部５、固定具１２、スペーサ２５、リアエンド１０、後輪１３の軸の順に挿通される。なお、両端部５にはシャフト２３を挿通させるためのシャフト孔２８が形成されていて、このシャフト孔２８は車体前後方向に延びる長孔である。これにより車体に対する別体両足スタンド２の取り付け位置を調整できる。シャフト孔２８の縦方向の径はあらかじめシャフト２３が挿通できる径に設定されている。
【００２３】  特にこのシャフト孔２８が長孔であることは非常に意味がある。一般にクイックリリース式自転車１００にスタンドを取り付けた場合、変速機であるリアディレーラー２９に縦棒４の上部（リアディレーラー２９の近傍）４ａが干渉してしまうことが多いが、シャフト孔２８が長孔であるためスタンドの取り付け位置を車体に対して後方にずらすことができ、上部４ａのリアディレーラー２９への干渉を避けて取り付けることができる。
【００２４】  このような構成により、別体両足スタンド２の両端部５が固定体１１を介してチェーンステー８に取り付けられるため、別体両足スタンド２をクイックリリース式自転車１００の後輪軸（リアエンド１０）に取り付けることで、安定して別体両足スタンド２を車体に保持することができる。このとき、固定具１２はチェーンステー８に沿って延びているため、安定感は増大される。これにより、単に後輪軸のみで別体両足スタンド２を支持するよりも、別体両足スタンド２が誤って後輪軸を支点に回転してしまうことを抑制できる。したがって、別体両足スタンド２をクイックリリース式自転車１００に好適に適合でき、別体両足スタンド２の利点である簡単な操作で自立とその解除操作を行うこともクイックリリース式自転車１００にて実現できる。
【００２５】  固定具１２は、別体両足スタンド２の両端部５に対して固定される。具体的には、固定具１２は上下方向に基準厚みＡを有し、この基準厚みＡは上下の係止爪６間の距離と一致している。固定具１２がこのような基準厚みＡを有するので、別体両足スタンド２の両端部５に備わる係止爪６は隙間なく固定具１２に引っかけられる。このため、別体両足スタンド２の両端部５はしっかりと固定具１２を介して車体に固定される。
【００２６】  図４に示すように、固定体１１はチェーンステー８を左右から挟み込むための内ブロック１４及び外ブロック１５を有している。チェーンステー８を挟み込むため、内ブロック１４と外ブロック１５で挟み込む側の面は凹形状に形成されている。このように固定体１１を内ブロック１４及び外ブロック１５で形成することで、チェーンステー８を左右側から挟み込んで固定することができ、確実な固定を実現できる。外ブロック１５は固定具１２に密着され、内ブロック１４、外ブロック１５、固定具１２は互いに結束具１６にて固定される。結束具１６は例えば内ブロック１４から外ブロック１５方向に延びて互いを関連させるボルト１７である。図３を参照すれば明らかなように、固定具１２にはボルト孔１８、１９が貫通して形成されていて、ボルト１７はこのボルト孔１８に挿通される。そして、ボルト１７に螺合するナット２０によって固定具１２の外側から締められる。なお、ボルト１７は内ブロック１４の上下端から外ブロック１５方向に延びチェーンステー８の上下側を通る。これにより、チェーンステー８の丸や角の形状、例えばΦ４０ｍｍの太さあるいは細さ、横や縦の角度にとらわれず、種々のチェーンステー８に対して取り付け可能である。なお、図４の例ではボルト１７はＵ字ボルトであり、湾曲した部分は内ブロック１４に形成された溝に沿ってはめ込まれている。
【００２７】  これらのボルト１７が挿通される固定具１２のボルト孔１８、１９のうち、下側のボルト１７が挿通されるボルト孔１９は下側に膨らむ円弧形状の長孔で形成されている。このように、固定具１２に備わるボルト孔１９を円弧形状の長孔とすることで、固定具１２のチェーンステー８に対する角度を調整できる。このため、この固定具１２に対して係止爪６を介して固定される別体両足スタンド２の取り付け角度も調整でき、適正角度にて別体両足スタンド２をクイックリリース式自転車１００に取り付けることができる。また、このような長孔とすることで、別体両足スタンド２の立角度をおよそ３０度のふり幅で無段階に調節可能とできる。これによりチェーンステー８が車体中央に向かうにつれて上がるハンガー上がりの小径車の車体でも、あるいはハンガー下がりの２６インチや７００ｃスポーツ自転車の車体でも、スタンドを使用して駐輪する際、いつでもいかなる場合でもスタンド立角度を最適かつ適正に保てる。
【００２８】  また、外ブロック１５は、チェーンステー８に取り付けられた状態でチェーンステー８に沿って貫通している貫通孔２１を有している。クイックリリース式自転車１００の場合、チェーンステー８には変速機となるリアディレーラー２９の作動に必要なシフトワイヤー２６がこれに沿って配されているので、この貫通孔２１を利用してシフトワイヤー２６をガイドすることができる。すなわち、外ブロック１５がシフトワイヤー２６の取り回しの妨げとなることはない。貫通孔２１は外ブロック１５のチェーンステー８方向にシフトワイヤー２６が通ればどのような形状でもよく、溝形状であってもよい。
【００２９】  上述した例では、自転車スタンド取り付け用アダプタ１を用いて市販されている別体両足スタンド２を取り付けるものを示したが、本発明では、この自転車スタンド取り付け用アダプタ１が両足スタンドと一体となった一体両足スタンド２２も提供する。図５に示すように、一体両足スタンド２２は、下記の点で上述した例と異なる。
【００３０】  固定具１２は、左右の縦棒４の他方の端部にそれぞれ位置する両端部５と一体に形成されている。すなわち、別体両足スタンド２の両端部５と固定具１２とが一体的に形成されている。この固定具１２が両端部５の役割も兼ねることで、固定具１２はシャフト２３によるリアエンド１０への固定と、結束具１６による固定体１１を介してのチェーンステー８への固定の両方の役割を担う。このように、固定具１２と両足スタンドの両端部５を一体化することで、部品点数を減少させてクイックリリース式自転車１００に好適に適用できる一体両足スタンド２２も提供できる。一体化することで取り付け作業も簡易且つ迅速になる。
【００３１】  一方、横棒３は、全長を左右方向に伸縮させるための伸縮器２４を有している。具体的には伸縮器２４は、横棒３が切断されてその切断端部にねじ加工が施してあり、このねじ加工を受け入れる両端雌ねじ部材である。横棒３の間に伸縮器２４を介装することで、横棒３の長さを調節できる。このように一体両足スタンド２２の横棒３を伸縮器２４により伸縮可能とすることで、種々の左右のリアエンド幅に対応できる一体両足スタンド２２を提供できる。
【００３２】  以上説明したように、本発明は、クイックリリース式自転車１００に体して好適に適用できる自転車スタンド取り付け用アダプタ１と、これを用いた一体両足スタンド２２を提供するものである。換言すれば、ストレートドロップリアエンドを持つスポーツタイプ自転車に対し、この自転車に最初から装着されているクイックシャフトリアハブを車体（ストレートドロップエンド）に固定するためのクイックシャフト機構のまま、両足スタンドを取付けられるアダプタを提供することであり、これがアダプタ１である。このアダプタ１を用いた場合、別体両足スタンド２は以下の３点にて車体に固定されることになる。１点目はクイックシャフト２３を利用したリアエンド１０への固定である。２点目は固定体１１と固定具１２を利用したチェーンステー８への固定である。３点目は係止爪６を利用した固定具１２への固定である。これら３点の固定により、別体両足スタンド２は、確実に車体に固定される。
【符号の説明】
【００３３】１：自転車スタンド取り付け用アダプタ、２：別体両足スタンド、３：横棒、４：縦棒、４ａ：縦棒の上部（リアディレーらの近傍）、５：両端部、６：係止爪、７：フレーム、８：チェーンステー、９：シートステー、１０：リアエンド、１１：固定体、１２：固定具、１３：後輪、１４：内ブロック、１５：外ブロック、１６：結束具、１７：ボルト、１８：ボルト孔、１９：ボルト孔、２０：ナット、２１：貫通孔、２２：一体両足スタンド、２３：シャフト、２４：伸縮器、２５：スペーサ、２６：シフトワイヤー、２７：孔、２８：シャフト孔、２９：リアディレーラー、１００：クイックリリース式自転車、Ａ：基準厚み
【図１】
0006579645.tif 000002
【図２】
0006579645.tif 000003
【図３】
0006579645.tif 000004
【図４】
0006579645.tif 000005
【図５】
0006579645.tif 000006